(57)【特許請求の範囲】
【請求項１】
‐  モバイルデバイスの周囲のイメージを取得するイメージングユニット、
‐  前記イメージングユニットにより取得されたイメージを表示する、ディスプレイ、
‐  前記イメージングユニットにより取得されたイメージ内におけるワイヤレス対応デバイスを検出するように構成されたオブジェクト検出ユニット、前記ワイヤレス対応デバイスは、他のデバイスと無線リンクを確立するように構成されており、および
‐  選択されたワイヤレス対応デバイスへワイヤレスリンクを確立するように構成されたワイヤレスインターフェース、および
‐  ユーザーインターフェース、を含み、
ここで、前記ディスプレイは、前記ディスプレイ上に表示されたイメージにおいて検出されたワイヤレス対応デバイスを示すように構成されており、前記ユーザーインターフェースは、ユーザーが前記ディスプレイに示されたワイヤレス対応デバイスを選択することを可能とするように構成されており、
前記ワイヤレスインターフェースは、選択されたワイヤレス対応デバイスが現在取得されているイメージ中に表されている間のみ、選択されたワイヤレス対応デバイスとのワイヤレスリンクを維持する、および／またはワイヤレスリンクを介して通信するように構成され、データ通信中に前記選択されたワイヤレス対応デバイスが現在取得されているイメージ中に表れなくなった場合、前記ワイヤレスリンクは、非アクティブ状態に切り替えられるか、完全に終了される、モバイルデバイス。
【請求項２】
前記ディスプレイは、前記モバイルデバイスの周囲の取得されたイメージを表示し、前記イメージ内において検出されたワイヤレス対応デバイスを示すように構成されている、請求項１に記載のモバイルデバイス。
【請求項３】
前記ディスプレイは、現在取得されているライブビデオを連続的に表示し、前記現在取得されているライブビデオ内において検出されたワイヤレス対応デバイスを示すように構成されている、請求項１に記載のモバイルデバイス。
【請求項４】
前記オブジェクト検出ユニットは、イメージセグメンテーションにより、イメージを分析し、分析されたイメージにおけるデバイスを特定し、および前記特定されたデバイスにおいてワイヤレス対応デバイスを特定するように構成されている、請求項１に記載のモバイルデバイス。
【請求項５】
前記オブジェクト検出ユニットは、イメージ内のワイヤレス対応デバイスを検出するためにイメージ認識アルゴリズムを適用するように構成されている、請求項４に記載のモバイルデバイス。
【請求項６】
前記ユーザーインターフェースは、前記ディスプレイに統合され、ユーザーがタッチスクリーン上に表された示されたワイヤレス対応デバイスを選択することが可能に構成された前記タッチスクリーンを含む、請求項１に記載のモバイルデバイス。
【請求項７】
前記ディスプレイは、検出されたワイヤレス対応デバイスを、カラーインジケーター、ポインター、前記検出されたワイヤレスデバイスの周囲のフレーム、アイコン、前記検出されたワイヤレス対応デバイスの写真もしくは図または十字線の１以上を含むインジケーターにより示すように構成されている、請求項１に記載のモバイルデバイス。
【請求項８】
前記イメージングユニットは、静止画像および／またはライブビデオ画像を取得するように構成されており、スチルカメラ、ビデオカメラ、イメージセンサまたはイメージセンサモジュールを含む、請求項１に記載のモバイルデバイス。
【請求項９】
前記ディスプレイは、検出されたワイヤレス対応デバイスを、検出されたワイヤレス対応デバイスが前記ワイヤレスインターフェースとワイヤレスリンクを確立する準備が整っているかを示すように構成されたインジケーターにより示すように構成されている、請求項１に記載のモバイルデバイス。
【請求項１０】
前記ディスプレイが、検出されたワイヤレス対応デバイスを、検出されたワイヤレス対応デバイスが前記ワイヤレスインターフェースとワイヤレスリンクを確立する準備が整っているかを示すように構成されたインジケーターにより示す前に、前記モバイルデバイスは、検出されたワイヤレス対応デバイスへのワイヤレスリンクの利用可能性および／またはワイヤレスリンクケイパビリティを確認するように構成されている、請求項１に記載のモバイルデバイス。
【請求項１１】
前記ディスプレイは、検出されたワイヤレスデバイスが前記ワイヤレスインターフェースとワイヤレスリンクを確立した後に事前に選択したタスクを実行するように構成されているかを示すための利用可能性インジケーターを表示するように構成されている、請求項１に記載のモバイルデバイス。
【請求項１２】
前記ディスプレイは、前記ワイヤレスリンクの使用による事前に選択されたタスクが完了したかを示すための完了インジケーターを表示するように構成されている、請求項１に記載のモバイルデバイス。
【請求項１３】
前記ディスプレイは、前記モバイルデバイスのユーザーに選択されたワイヤレス対応デバイスの方向へ前記モバイルデバイスを固定するように案内する、案内シグニフィアを表示するように構成されている、請求項１に記載のモバイルデバイス。
【請求項１４】
さらにハンドヘルドモバイルデバイスの方向を検出する方向検出ユニットを含む、請求項１に記載のモバイルデバイス。
【請求項１５】
前記ワイヤレスインターフェースは、前記ワイヤレス対応デバイス、ワイヤレス対応デバイスを含むデバイスのケイパビリティおよび／または前記ワイヤレス対応デバイスの１以上のパラメータを特定するためにプロービングシグナルを送信し、およびワイヤレス対応デバイスからの応答シグナルを受信するように構成されている、請求項１に記載のモバイルデバイス。
【請求項１６】
前記ワイヤレスインターフェースは、ワイヤレスデバイスにより送信されたビーコンシグナルを受信するように構成されており、前記ビーコンシグナルは、検出されたワイヤレス対応デバイスの１以上のパラメータを含む、請求項１に記載のモバイルデバイス。
【請求項１７】
前記オブジェクト検出ユニットは、ワイヤレス対応デバイスにより送信された光学情報シグナルを検出するように構成されており、前記光学情報シグナルは、前記ワイヤレス対応デバイスがワイヤレスリンク機能を有することを示す、および／または検出されたワイヤレス対応デバイスの１以上のパラメータを含む、請求項１に記載のモバイルデバイス。
【請求項１８】
前記オブジェクト検出ユニットは、ＬＥＤもしくはＩＲダイオードまたはワイヤレス対応デバイスのスクリーン上に表示された所定のディスプレイイメージにより送信される光学情報シグナルを検出するように構成されている、請求項１に記載のモバイルデバイス。
【請求項１９】
前記オブジェクト検出ユニットは、前記イメージングユニットにより取得されたイメージ内のワイヤレス対応デバイスの検出において前記ビーコンシグナルを使用するように構成されている、請求項１６に記載のモバイルデバイス。
【請求項２０】
前記オブジェクト検出ユニットは、前記イメージングユニットにより取得されたイメージ内のワイヤレス対応デバイスの検出において前記光学情報シグナルを使用するように構成されている、請求項１７または１８に記載のモバイルデバイス。
【請求項２１】
前記ディスプレイは、検出されたワイヤレス対応デバイスの１以上のパラメータを表示するように構成されている、請求項１に記載のモバイルデバイス。
【請求項２２】
前記モバイルデバイスは、ワイヤレス対応デバイスのパラメータを保存する１以上のデータベースから、検出されたワイヤレス対応デバイスの１以上のパラメータを読み出すように構成されている、請求項１に記載のモバイルデバイス。
【請求項２３】
さらに、ワイヤレス対応デバイスのパラメータを保存する１以上のデータベースを保存するストレージユニットを含む、請求項１に記載のモバイルデバイス。
【請求項２４】
前記ワイヤレスインターフェースは、ワイヤレス対応デバイスのパラメータを保存する１以上のデータベースとワイヤレスリンクを確立するように構成されている、請求項１に記載のモバイルデバイス。
【請求項２５】
さらに、ワイヤレス対応デバイスのパラメータを保存する１以上のデータベースと通信リンクを確立する通信インターフェースを含む、請求項１に記載のモバイルデバイス。
【請求項２６】
前記１以上のパラメータは、製造業者、デバイス名、デバイスの型、ワイヤレスリンクケイパビリティ、ストレージの型および容量、処理能力、ワイヤレスリンクの型および速度、接続時間、ならびに／または検出されたワイヤレス対応デバイスのディスプレイの外観を含む、請求項２１、２２、２３、２４または２５に記載のモバイルデバイス。
【請求項２７】
前記モバイルデバイスは、ハンドヘルドモバイルデバイスである、請求項１に記載のモバイルデバイス。
【請求項２８】
前記ハンドヘルドモバイルデバイスは、モバイルフォン、スマートフォン、タブレットＰＣ、ＰＤＡ、フォトカメラ、ビデオカメラ、ポータブルミュージックもしくはビデオプレーヤー、ポータブルＴＶセットまたはポータブルゲーム機である、請求項２７に記載のモバイルデバイス。
【請求項２９】
モバイルデバイスおよびワイヤレス対応デバイスの間のワイヤレスリンクを確立するための、前記モバイルデバイスによって実行される方法であって、ワイヤレス対応デバイスは他のデバイスとワイヤレスリンクを確立するように構成されたデバイスであり、
‐  前記モバイルデバイスの周囲のイメージを取得すること、
‐  取得されたイメージを表示すること、
‐  前記モバイルデバイスにより取得されたイメージ内におけるワイヤレス対応デバイスを検出すること、
‐  前記モバイルデバイスにより表示されたイメージにおいて検出されたワイヤレス対応デバイスを示し、ユーザーが示されたワイヤレスデバイスを選択することを可能とすること、
‐  選択されたワイヤレス対応デバイスとワイヤレスリンクを確立すること、を含み、
前記ワイヤレスリンクは、選択されたワイヤレス対応デバイスが現在取得されているイメージ中に表されている間のみ維持され、データ通信中に前記選択されたワイヤレス対応デバイスが現在取得されているイメージ中に表れなくなった場合、前記ワイヤレスリンクは、非アクティブ状態に切り替えられるか、完全に終了される、前記方法。
【請求項３０】
コンピュータープログラムがモバイルデバイスにおいて行われた際に、ハンドヘルドモバイルデバイスに請求項２９に記載の前記方法のステップを実行させるためのプログラムコードを含む、前記コンピュータープログラム。
【請求項３１】
モバイルデバイスにより実行された際に請求項２９に記載の方法が実行されるようにするコンピュータープログラムを保存する一時的でないコンピューター可読記録媒体。
【発明の詳細な説明】
【技術分野】
【０００１】
本開示は、モバイルデバイスに、ならびにモバイルデバイスおよびワイヤレス対応デバイスの間のワイヤレスリンクを確立するための方法に関し、ワイヤレス対応デバイスは他のデバイスとワイヤレスリンクを確立するように構成されたデバイスである。
【背景技術】
【０００２】
ワイヤレス対応デバイス、すなわちＷｉＦｉケイパビリティを有しおよび他のデバイスとワイヤレスリンクを確立し、データおよび任意の種の情報を受信および／または送信できる電気デバイスは、今日では、広く用いられている。このようなワイヤレス対応デバイスは、限定されないが、モバイルフォン、スマートフォン、タブレットコンピューター、ＰＤＡ、フォトカメラ、ビデオカメラ、ポータブルミュージックもしくはビデオプレーヤー、ＴＶセット、ディスクプレイヤー、パーソナルコンピューター（ＰＣ）またはゲーム機を含む。ディスクプレイヤーの例は、ＤＶＤプレイヤーまたはブルーレイプレイヤーである。パーソナルコンピュータ（ＰＣ）の例は、デスクトップコンピューター、ノートパソコン、ネットブックまたはいわゆるウルトラブックである。ゲーム機の例は、テレビゲーム機またはハンドヘルド／ポータブルゲーム機である。（前に言及したもののいくつかを含む）いくつかのワイヤレス対応デバイスは、モバイルデバイスとして使用されることができる。
【０００３】
他のデバイス、すなわち目的のワイヤレス対応デバイスとワイヤレスリンクを確立するために、ユーザーは、現在、ユーザーの実際のワイヤレス対応デバイスのスクリーンに表されるデバイスリストから目的のワイヤレス対応デバイスを選択する必要がある。前記デバイスリストは、一般に、デバイス発見プロトコルに基づいて構築される。例えば、パーソナルコンピューターまたはタブレットコンピューターとワイヤレス接続を設定する際に、このようなコンピューターのオペレーティングシステムは、一般にユーザーに１以上のワイヤレス基地局（例えばワイヤレスホットスポット、ワイヤレスアクセスポイント、など）から所望する目的のワイヤレス対応デバイスを選択するように求めるであろう。しかし、このようなユーザーインターフェースは十分に快適ではなく十分に使いやすくない、すなわちそれは直感的ユーザー操作を可能としないことが見出されてきた。
【０００４】
ここに提供される「背景」の記載は、本開示の文脈を一般的に提示することを目的としている。背景の節において記載される程度までにおいて現在指定されている本発明者の研究、ならびにさもなければ出願時において従来技術とみなされ得ない記載の局面は、本開示に対して明示的、暗示的のいずれにも従来技術として認められない。
【発明の概要】
【０００５】
よりユーザーフレンドリーなモバイルデバイスならびにモバイルデバイス、ならびにモバイルデバイスおよびワイヤレス対応デバイスの間のワイヤレスリンクを確立するための方法を提供することを目的とする。さらに、前記方法を実施するための対応するコンピュータープログラムおよび一時的でないコンピューター可読記録媒体を提供することを目的とする。
【０００６】
一局面によれば、
‐  モバイルデバイスの周囲のイメージを取得するイメージングユニット、
‐  前記イメージングユニットにより取得されたイメージを表示する、ディスプレイ、
‐  前記イメージングユニットにより取得されたイメージ内におけるワイヤレス対応デバイスを検出するように構成されたオブジェクト検出ユニット、前記ワイヤレス対応デバイスは、他のデバイスと無線リンクを確立するように構成されており、および
‐  選択されたワイヤレス対応デバイスにワイヤレスリンクを確立するように構成されたワイヤレスインターフェース、および
‐  ユーザーインターフェース、を含み、
ここで、前記ディスプレイは、前記ディスプレイ上に表示されたイメージにおいて検出されたワイヤレス対応デバイスを示すように構成されており、前記ユーザーインターフェースは、ユーザーが前記ディスプレイに示されたワイヤレス対応デバイスを選択することを可能とするように構成されている、前記モバイルデバイスが提供される。
【０００７】
さらなる一局面によれば、モバイルデバイス、ならびにモバイルデバイスおよびワイヤレス対応デバイスの間のワイヤレスリンクを確立するための方法であって、
‐  前記モバイルデバイスの周囲のイメージを取得すること、
‐  前記イメージングユニットにより取得されたイメージを表示すること、
‐  前記モバイルデバイスにより取得されたイメージ内におけるワイヤレス対応デバイスを検出すること、
‐  前記モバイルデバイスにより表示されたイメージにおける検出されたワイヤレス対応デバイスを示し、ユーザーが示されたワイヤレスデバイスを選択することを可能とすること、
‐  選択されたワイヤレス対応デバイスとワイヤレスリンクを確立すること、を含む、前記方法が提供される。
【０００８】
またさらなる局面によれば、コンピュータープログラムがコンピューターにおいて行われた際に、コンピューターにここに開示される本方法のステップを実行させるためのプログラム手段を含む、前記コンピュータープログラム、ならびにプロセッサーにより実行された際にここに開示される方法が実行されるようにするコンピュータープログラム製品をそこに保存する一時的でないコンピューター可読記録媒体が提供される。
【０００９】
好ましい実施形態は、独立請求項において定義されている。請求された方法、請求されたコンピュータープログラム、および請求されたコンピューター可読記録媒体は、請求されたデバイスとおよび独立性請求項において定義されたのと同様および／または独立した好ましい実施態様を有することが理解されるであろう。
【００１０】
本開示の１つの局面は、モバイルデバイスのユーザーがその自己のモバイルデバイス上のディスプレイ（スクリーン）上の利用可能なワイヤレス対応デバイスの光学的表示に基づいて所望する目的のワイヤレス対応デバイスを選択することが可能であることを提供することである。これは、ユーザーが彼のモバイルデバイスのディスプレイ上の表示から所望するワイヤレス対応デバイスを選択することができるように、ユーザーが適当なユーザーインターフェースの使用により直感的に所望する目的のワイヤレス対応デバイスを選択することができることを可能とする。したがって、デバイス発見プロトコルにより見出されることができるワイヤレス対応デバイスの短い表示（一般的にオペレーターにより割り当てられたワイヤレス対応デバイスの短い名前またはワイヤレス対応デバイスの所有者のみ）のみ示す現在用いられているデバイスリストに反して、本開示のモバイルデバイスおよび方法は、発見されたワイヤレス対応デバイスに関するさらなる情報、特に、少なくともイメージおよび好ましい実施形態によれば現在位置、デバイスの型またはワイヤレスケイパビリティを提供する。
【００１１】
本発明の上述の一般的な説明および以下の詳細な説明の両方は、本発明の例となるものであるが、制限ではないことが理解されるべきである。
【図面の簡単な説明】
【００１２】
本開示のより完全な理解およびこれらの付随する利点の多くは、添付する図面と関連して考慮された際に、以下の発明を実施するための形態を参照することにより、これらがよりよく理解されるにつれて、容易に得られるであろう、ここで、
【図１】図１は、本発明にかかるモバイルデバイスの第１実施形態を示す。
【図２】図２は、検出されたワイヤレス対応デバイスの表示の第１の例を示す。
【図３】図３は、検出されたワイヤレス対応デバイスの表示の第２の例を示す。
【図４】図４は、ワイヤレス対応デバイスからの光学情報シグナルの送信の一例を示す。
【図５】図５は、本発明にかかるモバイルデバイスの第２実施形態を示す。
【図６】図６は、本発明にかかるモバイルデバイスの第３実施形態を示す。
【発明を実施するための形態】
【００１３】
これから図面を参照し、ここで、同様の参照数字は、いくつかの図を通して同一または対応する部分を指し、図１は、本発明にかかるモバイルデバイス１の第１実施形態を概略的に示す。モバイルデバイス１は、一般に他のデバイスとワイヤレスリンクを確立できるデバイスであるワイヤレス対応デバイスとワイヤレスリンクを確立するように構成されている。モバイルデバイスは、モバイルデバイス１の周囲のイメージを取得するイメージングユニット２およびイメージングユニット２により取得されたイメージを表示するディスプレイ３を含む。オブジェクト検出ユニット４は、前記イメージングユニット２により取得されたイメージ内におけるワイヤレス対応デバイスを検出するために供される。さらに、ユーザーインターフェース５およびワイヤレスインターフェース６が、選択されたワイヤレス対応デバイスとワイヤレスリンクを確立するために供される。ディスプレイ３は、前記ディスプレイ３上に表示されたイメージにおいて検出されたワイヤレス対応デバイスを示すように構成されており、およびユーザーインターフェース５は、ユーザーが前記ディスプレイ３上において示されるワイヤレス対応デバイスを選択することを可能とするように構成されている。
【００１４】
以下に、本開示にかかるモバイルデバイス１を用いた典型的な状況の例がモバイルデバイス１の非限定例としてのスマートフォンを参照することにより説明されるであろう。モバイルデバイス１のユーザーがこの例示的実施形態において光学カメラであるイメージングユニット２を作動させた際に、モバイルデバイス１は、特に高いデータレートを有する、ワイヤレス接続する準備が整っている周囲におけるワイヤレス対応デバイスを検索する。この検索プロセスにおいて、オブジェクト検出アルゴリズムが、プロセッサーとして実装されており、周囲内のワイヤレス対応デバイスを検出するオブジェクト検出ユニットにより適用される。検出されたワイヤレス対応デバイスは、次いで、イメージングユニット２により取得されるイメージ、例えば、光学カメラにより見られる周囲のライブビデオを表示するディスプレイ３上において特定される。
【００１５】
図２Ａは、この例においてリビングルームであるモバイルデバイス１の周囲を示す。図２Ｂは、光学カメラ２により見えるとおりのおよびスクリーン３において表示されるとおりのモバイルデバイス１の周囲のイメージ１０を示す。この実施形態において、光学カメラ２の視界内のワイヤレス対応１１、１２のみが検出される。好ましくは、イメージ認識アルゴリズムがイメージ内のこの検出について適用される。
【００１６】
この検出は、デバイスを検出し、デバイスがワイヤレス機能を有するかを調べるために、好ましくは、例えばデバイスの特徴を保存するデータベース内で検索された、デバイスの可視の特徴を使用する。好ましくは、検出されたデバイスの追加のパラメータ、例えば、デバイスの型、ストレージ容量、ワイヤレス機能のパラメータなどが、例えばデータベースから検出され、その追加のパラメータは、またスクリーン４において示され得る。検出されたワイヤレス対応デバイス１１、１２、この例においてＴＶセット１１およびゲームデバイス１２（例えばプレイステーション）は、次いで例えば図２Ｂにおいて表されるようにそれぞれのワイヤレス対応デバイス１１、１２を囲むフレーム１３、１４（例えば赤色で「リンクレディ」を示す）の使用により、スクリーン４上で示される。
【００１７】
好ましい実施形態において、モバイルデバイス１は、ワイヤレス対応デバイスの検出をさらに改善するためにプロービングシグナルを送信する。したがって、オブジェクション（objection）検出ユニットは、イメージ認識アルゴリズムにおいてイメージ情報を使用するのみならず、またワイヤレス対応デバイスから受信した応答シグナルを評価して、ワイヤレス対応デバイスを検出し、および場合により特定する。
【００１８】
この検索およびオブジェクト検出（ならびに好ましくはオブジェクト特定）プロセスは、スクリーン上の現在の現実の環境を更新するために周期的に繰り返されるであろう。
【００１９】
モバイルデバイス１は、さらに好ましくはディスプレイ３に統合されたタッチスクリーン５によって実現されたユーザーインターフェースを含む。ユーザーが、検出され、示されたワイヤレスデバイスの中から、例えばモバイルデバイス１からデータを受信するために、ワイヤレスリンクが確立されるべきワイヤレス対応デバイスを特定した時点で、彼は、スクリーン３上のこの目的のワイヤレス対応デバイスの対応するイメージ１１または１２（ここで１１が目的のワイヤレス対応デバイスとする）をタップし、すなわちタッチスクリーン５を使用して、この目的とするワイヤレス対応デバイスを選択する。彼がイメージをタップすると、リンクが確立されるべきであり、所望のタスクが自動的に行われるべきである、例えばデータがこの目的のワイヤレス対応デバイスへ自動的に転送されるべきである。
【００２０】
タスクが適切に行われるまで、警告情報（「しばらくとどまってください(stay)／固定してください(hold)」など）が好ましくはスクリーン３上に表示される。タスク、例えばデータ送信の実行の間、モバイルデバイスの「固定(holding)」は、好ましくは、図３に表されるように対応する「固定インジケーター」、例えばスクリーン３上の「十字線」により別の実施形態において支援される。この固定インジケーターは、（例えばジャイロスコープにより）モバイルデバイスの移動を追跡し、モバイルデバイス１が不正確に（図３Ａ）または正確に（図３Ｂ）に固定されているかを示す。モバイルデバイス１が不正確に固定されている場合、固定インジケーター１５（「十字線」）が、目的のワイヤレス対応デバイス１１と異なる位置において示され、ワイヤレス対応デバイス１１は、さらに他のシンボル１６、例えば目的のワイヤレス対応デバイスの位置における赤い点により、示され得る。モバイルデバイス１が正確に固定されている場合、固定インジケーター１５（「十字線」）が、目的のワイヤレス対応デバイスの位置において示され、ワイヤレス対応デバイス１１は、さらにシンボル１７、例えば目的のワイヤレス対応デバイスの位置における緑の点により、示され得る。
【００２１】
タスクが正確に行われた、例えばデータが適切に転送された時点で、対応する「タスク完了表示」がスクリーン上に表されるであろう。例えば、スクリーン３上の目的のワイヤレス対応デバイス１１のイメージは、「データ転送完了」を示す。このような「タスク完了表示」の例は、青い円、特定の音、ユーザーにデバイス間のリンク／接続が保たれている（アクティブに維持されている）またはデバイス間の接続が終了している（切断されている）ことを知らせるアイコン／符号／表示の１以上を含む。一実施形態において、「タスク完了表示」として使用されるインジケーターの種類を選択することおよびそれをユーザー選好設定として保存することが可能である。次いで、モバイルデバイス１のスクリーン３は、その通常状態へ戻るであろう（例えば青から赤に戻る）。
【００２２】
したがって、あるリストエントリー（典型的に短い頭字語、短い名前またはＭＡＣアドレスが挙げられる）によりどこにワイヤレス対応デバイスが位置するのかおよびどのようなワイヤレス対応デバイスの種類が現実に示されるのかユーザーが知らないけれども、全ての使用可能／有効なワイヤレス対応デバイスが単にリスト中に列挙される既知の解決策に対し、本開示によれば、モバイルデバイス１のディスプレイ３上において示されるスクリーンイメージは、ユーザーに光学カメラ２により見えることのできる全ての使用可能／有効なワイヤレス対応デバイスを示す。したがって、提案される解決策は、ユーザーがワイヤレスリンクを確立するため所望のワイヤレス対応デバイスを直感的および容易に選択すること、例えば前記選択されたワイヤレス対応デバイスへデータを転送することを可能とするより一層ユーザーフレンドリーなモバイルデバイスを提供する。
【００２３】
本開示にかかるモバイルデバイス１の別の実施形態が図４に描写されている。各ワイヤレス対応デバイスは、モバイルデバイスが自身を発見し、具体的な情報（すなわち、ワイヤレス対応デバイスによりサポートされている無線送信機能、ワイヤレス対応デバイスにおいて利用可能なストレージ容量など）を得ることを助けるための特定のビーコンシグナル（また情報シグナルとも呼ばれる）を送信し得るまたは発し得る。このビーコンシグナル（情報シグナル）は、すなわち光学手段（すなわちＴＶセットの（赤）スタンバイＬＥＤまたはＩＲダイオード）によりまたは所定の（例えばより低い）周波数にて、例えば２．４ＧＨｚ付近、５Ｇｈｚ〜６ＧＨｚ範囲におけるもしくは１ＧＨｚより小さいＩＳＭ帯において、代替のワイヤレス無線技術により、放射されることができる。これは、光学ビーコンが、人の目に不可視であるが（したがって、ちらつきを供せず）、イメージングユニットにより取得されたイメージ情報から光学検出ユニットにより検出されることができる方法でＴＶセット１１のスタンバイＬＥＤ１１ａ（および／またはゲームデバイス１２のスタンバイＬＥＤ１２ａ）を介して放射される図４において図説されている。
【００２４】
無線は、モバイルデバイス１における光学カメラ２の視野と容易には連動せず（同期せず）、したがって、無線ビーコンは、単純にデバイスの機能／ケイパビリティをブロードキャストし、これによりモバイルデバイスが特定の目的とするワイヤレス対応デバイスを発見することを支援する。例えば、無線ブロードキャストメッセージがワイヤレス対応デバイスの型／モデルの情報を有する場合、それは、イメージから取得された（可視）情報を用いるのみならず、加えてそれぞれのワイヤレス対応デバイスについてのブロードキャスト情報を用いて、オブジェクト検出ユニット４により、より容易に発見／特定されることができる。さらに、ブロードキャストビーコンがあるデバイスがユーザーにより所望されるデータ転送ための残余のストレージ容量を有していないことをすでに示す場合、このような情報がユーザーに直ちに提示されることができる。部屋内における複数のワイヤレス対応デバイスが存在する場合、ユーザーは、可能なワイヤレス対応デバイス（およびこれらがどのように見えるか）およびこれらのステータス（すなわち利用可能な容量）のリストを見るかもしれない。次いで、ユーザーは、データ転送について最も都合の良いワイヤレス対応デバイス（すなわちホームサーバー、ＴＶセット、ラップトップ、．．．）へ非常により容易に目星をつけることができる。
【００２５】
上で説明したように、ディスプレイ３は、好ましくは、モバイルデバイスの周囲で取得されたイメージ、すなわち一般的に静止画像を表示し、および前記イメージ内において検出されたワイヤレス対応デバイスを示すように構成されている。あるいは、ディスプレイ３は、現在取得されているライブビデオを連続的に表示し、現在表示されているライブビデオ内において検出されるワイヤレス対応デバイスを示すように構成されている。したがって、イメージングユニット２は、静止画像および／またはライブビデオ画像を取得するように構成され、スチルカメラ、ビデオカメラ、イメージセンサまたはイメージセンサモジュールを含む。
【００２６】
オブジェクト検出ユニット４は、好ましくは、イメージを分析する、特にイメージを分割するように構成されている。さらに、オブジェクト検出ユニット４は、分析されたイメージ中のデバイスを特定し、特定されたデバイスの中からワイヤレス対応デバイスを特定するように構成されている。この分析について、一般的に知られたイメージセグメンテーションアルゴリズムを用いたセグメンテーションが適用され得る。セグメンテーションは、イメージ内のデバイス、特にワイヤレス対応デバイスを特定するのを助ける。
【００２７】
好ましくは、一般的に知られたイメージセグメンテーションアルゴリズムが、イメージ内のワイヤレス対応デバイスを検出するためにオブジェクト検出ユニット４により適用される。イメージの分析は、さらに、好ましい実施形態において、オブジェクトの特徴の特徴抽出および／またはパターン認識を含む。
【００２８】
好ましい実施形態において、ユーザーインターフェース５は、前記ディスプレイ３に統合され、ユーザーがタッチスクリーン上に表示された示されたワイヤレス対応デバイスを選択することが可能に構成されたタッチスクリーンを含む。
【００２９】
図２、３において示されるように、ディスプレイは、好ましくは、検出されたワイヤレス対応デバイスをインジケーターにより示すように構成されている。カラーインジケーター、ポインター、検出されたワイヤレスデバイスの周囲のフレーム、アイコン、検出されたワイヤレス対応デバイスの写真もしくは図または十字線などの様々な種類のインジケーターが使用されることができる。インジケーターの種類は存在し得るが、好ましくはまたユーザーにより選択可能および／または変更可能である。好ましくは、インジケーターは、検出されたワイヤレス対応デバイスが前記ワイヤレスインターフェースとワイヤレスリンクを確立する準備が整っているかを示すように構成されている。
【００３０】
有利には、前記ディスプレイが、検出されたワイヤレス対応デバイスが前記ワイヤレスインターフェースとワイヤレスリンクを確立する準備が整っているかを示すように構成されたインジケーターにより検出されたワイヤレス対応デバイスを示す前に、モバイルデバイス１は、検出されたワイヤレス対応デバイスへのワイヤレスリンク利用可能性および／またはワイヤレスリンクケイパビリティを確認するように構成されている。言い換えると、検出されたワイヤレス対応デバイスへのワイヤレスリンクが、ユーザーへ具体的なワイヤレス対応デバイスへのワイヤレスリンクが利用可能であると示される前に、検査される。この目的のために、検出されたワイヤレス対応デバイスが前記ワイヤレスインターフェースとワイヤレスリンクを確立した後に事前に選択されたタスクを行うように構成されているかを示す利用可能性インジケーターが好ましくは用いられる。さらに、一実施形態において、前記ディスプレイは、ワイヤレスリンクの使用による事前に選択したタスクが完了したかを示す完了インジケーターを表示するように構成されている。前記異なる種のインジケーターは、単純に、テキストインジケーター、説明を要しない絵文字（例えばカラー表示を用いて）またはテキストおよび絵文字の混合であり得る。
【００３１】
ワイヤレスインターフェース６は、好ましくは、選択されたワイヤレス対応デバイスが現在取得されたイメージに表示される間のみ選択されたワイヤレス対応デバイスと、ワイヤレスリンクを維持するおよび／またはワイヤレスリンクを介して通信するように構成されている。言い換えると、ユーザーが選択された（目的の）ワイヤレス対応デバイスがモバイルデバイスのカメラを通して見えるようにモバイルデバイスを固定しているときにのみワイヤレスリンクはアクティブであり、そうでなければそれは非アクティブ状態に切り替えられるかまたは完全に終了すらする。これは、ワイヤレスリンクが所望のワイヤレス対応デバイスと維持されるという、および特に、所望のタスク（例えばデータが転送される）がいかなる（見えない）ワイヤレス対応デバイスとではなく、前記ワイヤレス対応デバイスとのみ実行されるという高いセキュリティーを提供する。モバイルデバイスのユーザーが選択されたワイヤレス対応デバイスの方向にモバイルデバイスを固定するのを助けるために、ディスプレイは、好ましくは案内シグニフィア（signifier）、例えばモバイルデバイスが移動するおよび／または傾くべきであろう方向を示す矢印、を表示するように構成されている。
【００３２】
上で説明したように、ワイヤレスインターフェース６は、好ましくは前記ワイヤレス対応デバイスならびにワイヤレス対応デバイスおよび／または前記ワイヤレス対応デバイスの１以上のパラメータを含むデバイスのケイパビリティを特定するために、プロービングシグナルを送信し、ワイヤレス対応デバイスからの応答シグナルを受信する。さらに、一実施形態において、ワイヤレスインターフェース６は、ワイヤレスデバイスにより送信されたビーコンシグナルを受信するように構成されており、前記ビーコンシグナルは、検出されたワイヤレス対応デバイスの１以上のパラメータを含む。
【００３３】
さらに、一実施形態において、オブジェクト検出ユニット４は、光源、特に図４を参照して上で説明したとおりのＬＥＤもしくはＩＲダイオード、またはワイヤレス対応デバイスのスクリーンに表示される所定のディスプレイイメージにより送信される光学情報シグナルを検出するように構成されている。前記所定のディスプレイイメージは、例えば、所定の位置および／または短時間スクリーン上に表示されるバーコードである。あるいは、光学情報シグナルの別の形式を表すインジケーター（バーコードなど）は、それがスクリーン上に表示されるイメージ内において検出されることができるようにワイヤレス対応デバイスに添付されている。
【００３４】
好ましくは、オブジェクト検出ユニットは、前記イメージングユニットにより取得されたイメージ内におけるワイヤレス対応デバイスの検出において前記ビーコンシグナルおよび／または前記光学情報シグナルを使用するように構成されている。さらに、前記ビーコンシグナルおよび／または前記光学情報シグナルは、デバイスの特定を可能とするのみならず、ワイヤレス対応デバイスのパラメータを保存する１以上のデータベースからのデバイス固有情報の検索を可能とする。
【００３５】
このようなデータベースは、好ましくはデバイスの製造業者または販売業者のウェブサイト上に保存されている。あるいは、図５において描写されるモバイルデバイス１ａの実施形態に示されるように、モバイルデバイスはストレージユニット７を含み得、前記ストレージユニット７は、ワイヤレス対応デバイスのパラメータを保存する１以上のデータベースを保存する。
【００３６】
検出されたワイヤレス対応デバイスの１以上の得られたパラメータは、次いでまた、所望のワイヤレス対応デバイスの選択をさらに可能とするためにスクリーン上に表示され得る。
【００３７】
（外部に保存された）データベースへのアクセスは、好ましくはワイヤレス対応デバイスのパラメータを保存する１以上のデータベースへのワイヤレスリンクを確立するように構成されている、ワイヤレスインターフェース６の使用により達成され得る。あるいは、図６において描写されるモバイルデバイス１ｂの実施形態において示されるように、通信インターフェース８が供され得、通信インターフェース８は、ワイヤレス対応デバイスのパラメータを保存する１以上のデータベースへの通信リンクを確立するように構成されている。
【００３８】
またさらに、一実施形態において、図６においても示されるように、モバイルデバイス１ｂの方向を検出するジャイロスコープなどの方向検出ユニット９が供されている。モバイルデバイス１ｂの方向に関する情報は、特に目的のワイヤレス対応デバイスへ向くように、モバイルデバイスが正確に固定されているかを決定するのに用いられ得る。
【００３９】
上で説明したように、ワイヤレス対応デバイスの１以上のパラメータは、データベースから得られ得る。前記１以上のパラメータは、製造業者、デバイス名、デバイスの型、ワイヤレスリンクケイパビリティ、ストレージの型および容量、処理能力、ワイヤレスリンクの型および速度、接続時間、および／または検出されたワイヤレス対応デバイスのディスプレイの外観の１以上を含む。前記情報は、特定のワイヤレス対応デバイスがモバイルデバイスのユーザーがワイヤレス対応デバイスとのワイヤレスリンクを介して行いたいタスクを行うことが実際に可能であるかを決定するのに用いられ得る。
【００４０】
一般に、発明はあらゆるモバイルデバイスにおいて適用されることができる。好ましくは、モバイルデバイスは、ハンドヘルドモバイルデバイス、例えばモバイルフォン、スマートフォン、タブレットＰＣ、ＰＤＡ、フォトカメラ、ビデオカメラ、ポータブルミュージックもしくはビデオプレーヤー、ポータブルＴＶセットまたはポータブルゲーム機である。
【００４１】
提案される解決策は、ワイヤレスリンクを確立するためのワイヤレス対応デバイスの容易に使用可能で効果的かつ直感的な選択を可能とする。好ましい実施形態において、ユーザーは、周囲における検出されたワイヤレス対応デバイスのワイヤレス接続ケイパビリティならびに正確な位置について知らされる。またさらに、実施形態において、ユーザーに正確にどのワイヤレス対応デバイスへワイヤレス接続が確立したか知られるため、安全性（データ機密性）が向上することができる。
【００４２】
本開示にかかるモバイルデバイスおよびワイヤレス対応デバイスの間のワイヤレスリンクを確立するための方法のフローチャートが、図７において示される。第１のステップＳ１０においてモバイルデバイスの周囲のイメージが取得される。第２のステップＳ１２において、イメージングユニットにより取得されたイメージが表示される。第３のステップＳ１４において、モバイルデバイスにより取得されたイメージ内においてワイヤレス対応デバイスが検出される。第４のステップＳ１６において、モバイルデバイスにより表示されたイメージにおける検出されたワイヤレス対応デバイスが示され、ユーザーが示されたワイヤレスデバイスを選択することが可能となる。第５のステップ１８において、選択されたワイヤレス対応デバイスへのワイヤレスリンクが確立される。
【００４３】
明らかに、本開示の多数の変更および変化が上の教示を考慮すると可能である。したがって、添付の請求の範囲内において、本発明はここで具体的に記載された以外にも実施され得ることが理解できる。
【００４４】
請求の範囲において、語「含む(comprising)」は、他の要素やステップを排除せず、および不定冠詞「一つの(a)」または「一つの(an)」は、複数を排除しない。単一の要素または他のユニットは、請求の範囲において記載されるいくつかの事項の作用を充足しうる。ある度合が互いに異なる従属請求項において記載されたという単なる事実は、これらの度合の組み合わせが都合よく使用されることができることを示さない。
【００４５】
少なくとも部分において、ソフトウェア制御データ処理機により実施されるように本発明の実施形態が記載される限りにおいて、このようなソフトウェアを持つ一時的でないコンピューター可読記録媒体、例えば光学ディスク、磁気ディスク、半導体メモリなどもまた本発明の一実施形態を表すと考えられることが理解されるであろう。さらに、このようなソフトウェアは、また他の形態、例えばインターネットまたは有線もしくは無線電気通信システムなどを介して分配され得る。
【００４６】
請求の範囲中のいかなる参照符号も範囲を限定すると解釈されるべきでない。
【図１】
0006380408.tif 000002
【図２Ａ】
0006380408.tif 000003
【図２Ｂ】
0006380408.tif 000004
【図３Ａ】
0006380408.tif 000005
【図３Ｂ】
0006380408.tif 000006
【図４】
0006380408.tif 000007
【図５】
0006380408.tif 000008
【図６】
0006380408.tif 000009
【図７】
0006380408.tif 000010